Podtech/llm-jp-corpus-v4-ja_patent huggingface dataset:
(57)【要約】      （修正有）【課題】携帯電話で利用するアプリを簡単に制作／管理できるようにするためのプラットフォームを提供する。【解決手段】プラットフォームを開発するためになされたものであり，携帯電話のアプリとして利用できる機能を、モジュール化することで利用しやすい形とし，これを制作／管理に利用するための構築したデータベースによって実現する。上記の構造は、データベース３に機能モジュールやアプリデータ，サイトデータ４を格納し，制作者が制作アプリ１からインターネット６を経由して携帯アプリを制作する。データベース３は管理アプリ２から制御できる。【選択図】図１
2009104568.tif 000002
【特許請求の範囲】
【請求項１】
携帯電話で実行するアプリに必要なフォームやＧＰＳなどの機能は，基本機能，通信機能，付加機能などの種類別に分類し，必要なときに簡単に利用して実装でき，スタンダードな使用法による機能モジュール。
【請求項２】
前項において分類した機能モジュールをプラットフォームにおける各種アプリケーションで利用しやすくなるようにしたデータベース。
【発明の詳細な説明】
【発明の詳細な説明】
【産業上の利用分野】
【０００１】  この発明は，携帯電話用のアプリケーションをアプリの再生産の手法によって安価に効率よく制作できる総合的なプラットフォームの手法と環境に関する。
【従来の技術および発明が解決しようとする課題】
【０００２】  携帯電話は単なる電話機能だけでなく，パソコンの機能を取り込んで高性能化の傾向にあり，データ通信使用料の定額サービスなどの出現により，ネットワークの環境も充実しつつある。しかし携帯電話のアプリはＰＣ用とは異なり，機能に様々な制限があり，個別に対応しているため，アプリを充実するには生産性がよくない。
【０００３】  携帯電話に関する技術はデータ通信の高速化やそれに伴うハードウェアの高性能化など進化を続けているが，携帯用アプリ制作に関する技術は従来のＰＣ用アプリ制作技術の延長に留まっている。
【０００４】  携帯電話用のアプリはＱＲコードやＧＰＳなど特殊な機能を組み込んだアプリを制作する必要があるため，アプリの再生産の手法によって安価に効率よく制作できる総合的なプラットフォームが要求されている。
【０００５】  そこで，携帯電話の基本機能をモジュール化して，アプリの生産性の向上をはかることが重要な課題である。
【課題を解決するための手段】
【０００６】  本発明は上の課題を解決するためになされたものであり，図２の構造によってデータベース３に機能モジュールやアプリデータ，サイトデータ４を格納し，制作者が制作アプリ１からインターネット６を経由して携帯アプリを制作する。データベース３は管理アプリ２から制御できる。
【作用】
【０００７】  図２は携帯アプリで利用できる機能を分類した例である。
【実施例】
【０００８】  本発明の機能モジュールはよく使われる基本機能，通信機能，付加機能などの種類別に分類したもので，各機能のスタンダードな使用法を定め，それに従って利用できるモジュールとなり，各データをデータベースに格納し，簡単に呼び出せる仕組みとなったものである。
【発明を実施するための最良の形態】
【０００９】  図３に本発明による実施例を示す機能モジュールの例である。図３では携帯アプリの機能の画像データを保存する機能をモジュール化するときに利用するコードを示しており，データベース化することでプラットフォームで利用できるようになる。
【発明の効果】
【００１０】  本発明のプラットフォームを用いると，汎用な機能モジュールはそのまま利用でき，再生産性の向上がはかられ，安価に効率よくコンテンツを制作できるようになる。
【図面の簡単な説明】
【図１】  携帯アプリ制作用プラットフォーム
【図２】  携帯アプリで利用できる機能を分類した例
【図３】  本発明の実施例
【符号の説明】
１  制作アプリ
２  管理アプリ
３  データベース
４  データベースの内容
５  サーバ
６  インターネット
７  携帯アプリで利用できる機能を分類した例
８  機能モジュールの例
【図１】
2009104568.tif 000003
【図２】
2009104568.tif 000004
【図３】
2009104568.tif 000005
(57)【要約】【課題】原理的には、ベランダの上部にどのようなものでも良いが、荷重センサーを配置する。荷重センサーだけではなく、画像をはじめ、あらゆる感知器を対象とする。布団や布団止めには感知せず、幼児を始め侵入や人間が寄りかかったとき感知する。感知するとマンションなどでは、管理事務所をはじめ、至る所で警報が鳴り、隣人等がベランダの壁を破り、救出し、侵入者にはすぐ警察に通報する。【解決手段】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。実際にはベランダ壁面上部一帯に、例えば、歪ゲージのような、荷重検出器を配置する。【選択図】図１
2009104564.tif 000002
【特許請求の範囲】
【請求項１】
マンション等のベランダの侵入者の防止装置及びその方法
【発明の詳細な説明】
【技術分野】
【０００１】  建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
【背景技術】
【０００２】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
2009104564.tif 000003
【特許文献１】
【特許文献２】
【非特許文献１】
【非特許文献２】
【発明の開示】
【発明が解決しようとする課題】
【０００３】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
【課題を解決するための手段】
【０００４】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。実際にはベランダ壁面上部一帯に、例えば、歪ゲージのような、荷重検出器を配置する。【０００５】荷重検出器の感度を、布団を干す場合などには検出しないようにする。幼児から大人までの荷重に検出するようにする。
【発明の効果】
【０００６】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。【０００７】マンション等建築物は全国、全世界に無数あり、発明の効果は甚大なものが有る。
【発明を実施するための最良の形態】
【０００８】ベランダ壁面の上部にどのようなものでも良いが、例えば、歪ゲージのような荷重センサーを全面に配置する。荷重センサーだけではなく、画像をはじめ、あらゆる感知器を対象とする。布団や布団止めには感知せず、幼児を始め、侵入や人間が寄りかかったときに感知する。感知するとマンションなどでは、管理事務所をはじめ、至る所で警報が鳴り、隣人等がベランダの壁を破り、救出し、侵入者にはすぐ警察に通報する。自殺者も救出することが出来る。
【実施例】
【０００９】実施例を図面により示す。
【産業上の利用可能性】
【００１０】マンション等建築物のベランダからの窃盗目的の侵入者やまた転落者や幼児のず、社会となっている。マンション等建築物のベランダの侵入者防止及び転落防止装置があれば、社会的貢献は多大なものがある。産業上の利用可能性は多大なものがある。【００１１】原理的には、ベランダの上部にどのようなものでも良いが、荷重センサーを配置する。荷重センサーだけではなく、画像をはじめ、あらゆる感知器を対象とする。
布団や布団止めには感知せず、幼児を始め侵入や人間が寄りかかったとき感知する。
感知するとマンションなどでは、管理事務所をはじめ、至る所で警報が鳴り、隣人等がベランダの壁を破り、救出し、侵入者にはすぐ警察に通報する。
【図面の簡単な説明】
【００１２】
【図１】ベランダの非常用警報装置を配置した図
【符号の説明】
【００１３】１はベランダ壁面上部に全面に貼られた歪ゲージ等の荷重検出器。荷重検出器の上部には柔らかく、耐久性の有る、風雨に耐えるように設置する。
２は荷重検出器に連動した非常用警報装置。
３はベランダ壁面。
【図１】
2009104564.tif 000004
(57)【要約】【課題】流線型の物体や、三次元的な物体の最大膨隆部や逆に一番細い部分の正確な位置計測ができるノギスを提供する。【解決手段】ノギスの副尺の長さが主尺に比べ短いので、歯の様に凹凸の多い複雑な物体を計測する場合、物体の頂点または底辺を主尺にあてがい、副尺を最大膨隆部（または最も細い部分）にあわせて計測することで正確に計測できる。【選択図】図１
2009282000.tif 000002
【特許請求の範囲】
【請求項１】
ノギスの副尺の長さが主尺に比べ、短い事を特徴とする。
【発明の詳細な説明】
【技術分野】
【０００１】本発明は、歯の様な複雑な形状の物体の最大膨隆部（一番太い場所）や、逆に一番細い場所の正確な位置を計測する為の道具である。
【発明の開示】
【発明が解決しようとする課題】
【０００２】従来の物を挟んで計測するタイプのノギスでは、流線型の物体の頂点から最大膨隆部までの正確な位置を計測するのは非常に困難であった。
【課題を解決するための手段】
【０００３】ノギスの副尺の長さが主尺に比べ、短い事を特徴とする。
【発明の効果】
【０００４】本発明はノギスの副尺の長さが主尺に比べ、短い事を特徴とし、従来までの様に目測に頼る事無く誰にでも正確な計測が出来る様に考案された物である。
また歯科医療分野において欠損した歯を復元する際に欠損した歯の対になる歯が残っていた場合、その健康な歯を本発明によって計測すれば、左右反転した義歯を製作する際に歯の特徴を数値として表す事ができる。
【発明を実施するための最良の形態】
【０００５】ノギスの副尺の長さが主尺に比べ短い。また主尺に多少の厚みをもたせ、計測する物体に対し、ノギスが安定しやすくする事が望ましい。
【実施例】
【０００６】歯科技工士専門学校や歯科衛生士専門学校、歯科大学等で実際に行われている歯のデッサンや彫刻の教材として。また実際の歯科医療現場の医療用の道具として。
【図面の簡単な説明】
【０００７】
【図１】正面図
【図２】計測する物体の頂点から、最大膨隆部までの距離を測る場合を示した図である。
【図３】計測する物体の頂点から、最も細い部分までの距離を測る場合を示した図である。
【図１】
2009282000.tif 000003
【図２】
2009282000.tif 000004
【図３】
2009282000.tif 000005
(57)【要約】【課題】一般家庭に於ける貴重品の盗難火難を防止する安全保管装置を提供する。【解決手段】耐火防水筒（１）の底部を床下地中に適当深く埋め込み、該筒頂部を床下面に対面する様設ける、次で筒内上部に貴重品庫を載せる受盤（２）を、火災時や装置誤操作時即筒底に墜落する様な構成に設け、次で該筒（１）位置より適当離れた床面に、周辺床面と判別しにくい隠れ蓋（３）をはずれ止め付で設け、該隠れ蓋（３）のはずし、ダイヤル錠合せ、電駆スイッチ起状等により、貴重品を載せた受盤（２）を筒内、と隠れ蓋下、両者間を往復動出来る様にする。【選択図】図１
2009281122.tif 000002
【特許請求の範囲】
【請求項１】
床下適当個所に耐火防水筒（１）を、該防水底部を該直下地中適当深く埋め込み、同該頂部開口部を床下面にのぞませて設け、該耐火防水筒（１）の上部筒内に貴重品容器を載せる受盤（２）を、火災時や、本装置誤操作場合即筒底へ自動落下する構成に設け、他方、耐火防水筒（１）設置位置より相当離れた床面位置に周辺床面と判別仕難い隠れ蓋（３）を特殊方法でしか解錠取りはずし出来ぬ構成で設け、床面側部のダイヤル錠（７）を開錠等して同該側部に設けた電動駆動スイツチ用のツマミを起状操作して受盤（２）を筒内、竝蓋下、両者間を往復動させる様にしてなる貴重品の安全保管装置。
【請求項２】
床下に設けた受盤（２）を相当離れた床面に設けた隠れ蓋（３）下に呼び寄せ、亦復帰出来る様にしてなる請求項１記載の貴重品の安全保管装置。
【発明の詳細な説明】
【技術分野】
【０００１】本発明は一般家庭内貴重品の安全保管に関するものである。
【技術分野】
【０００２】在来の床下収納式隠し金庫は見付け易い開閉蓋の直下にあり、プロの盗人は蓋を見付けると安易に是を破壊、あらゆる手段を使って金庫ごと亦は内容物を持ち去った。
【発明の開示】
【発明の解決しようとする課題】
【０００３】一般家庭の貴重品を見付け難く、盗り難く、火災時も安全な場所に保管し、本装置を操作するリモコンや暗証ナンバー等も身に付けていれば長期留守でも火盗難に安全である様にする。
【課題を解決する為の手段】
【０００４】受盤（２）通行部を▲ケツ▼切した耐火防水筒（１）を、該防水底部を床下地中適当深く埋め込み、該筒頂部を床下面にのぞませ、該筒内上部に貴重品容器を載置する受盤（２）を、火災時時や、操作誤操作場合即筒底へ自動墜落する構成で設け、該耐火防水筒（１）位置より相当離れた位置床面に周辺床面と判別仕にくいはずれ止付の隠れ蓋（３）を設け、該隠れ蓋（３）を、リモコン、亦は該蓋周辺隙間に差込みはずれ止めをフリーにする超薄の差込片、等によりはずれ止めを解き、次で蓋体を吸着盤、粘着盤等を用いて取りはずし、次で床下側部に設けたダイヤル錠を解錠、同側部に設けた駆動スイッチつまみを起状して受盤（２）を往復動させて目的を達するもので、（６）は可燃レール（７）はダイヤル錠（８）はつまみ（９）はモーター（１０）は吊上索である。
【発明の効果】
【０００５】盗人等が侵入しても隠れ蓋（３）は安易に発見出来ず、見付かっても安易に開蓋出来ず、開蓋出来てもダイヤルキーナンバーが判らねば駆動ツマミを起状しても受盤（２）は呼び寄せ出来ず、何重もの障壁で盗難を防ぎ、亦火災時も地底に落下し安全である。
【実施例】
【０００６】隠れ蓋（３）を、リモコン、亦は差込片等にてフリーにし、吸盤、粘着盤にて取りはずす、次でダイヤル錠を解き、側部の駆動スイッチつまみ（８）を一方へ倒し受盤（２）を該開蓋下に呼び寄せる、受盤（２）に貴重品庫を納める、次でツマミ（８）を反対側に倒せば受盤（２）は耐火防水筒（１）内へ復帰する、火災時や盗人の誤操作場合は受盤（２）は筒底へ落下する、貴重品を取り出す場合同様操作をなし閉蓋する。
【図面の簡単な説明】
【０００７】
【図１】本発明の側面断面図である。
【符号の説明】
【０００８】１    耐火防水筒
２    受盤
３    隠れ蓋
４    床面
５    床下地面
６    可燃レール
７    ダイヤル錠
８    つまみ
９    駆動モーター
１０  吊上索
【図１】
2009281122.tif 000003
(57)【要約】      （修正有）【課題】勾配の違う階段を設ける為には、階段を設ける場所の勾配に合わせて階段を作らなければならない。【解決手段】調整出来る機能をもった踏み板２を吊る吊り具で、階段桁１に踏み板２を吊る。【選択図】図１
2009281121.tif 000002
【特許請求の範囲】
【請求項１】
勾配の違う階段に合わせて調整出来る機能をもった踏み板を吊る吊り具で階段桁に踏み板を吊った階段
【発明の詳細な説明】
【技術分野】
【０００１】階段のシステム化
【背景技術】
【０００２】踏み板を階段桁に吊ることで簡単に勾配を調整できるようになる。
【発明の開示】
【発明が解決しようとする課題】
【０００３】階段を設ける場所の勾配に合わせて既製部品で簡単に階段を組み立て式で階段を設ける。
【課題を解決するための手段】
【０００４】階段の勾配にあわせて調整出来る機能を持った踏み板を吊る吊り具で踏み板を階段桁に吊る。
【発明の効果】
【０００５】階段を設ける場所の勾配に合わせて、既製部品だけで組み立て式で階段を設ける事ができる。
【発明を実施するための最良の形態】
【０００６】階段桁へ踏み板を吊る。【０００７】階段桁へ踏み板を吊る吊り具の調整機能で可能になる。
【実施例】
【０００８】
【産業上の利用の可能性】
【０００９】階段を設ける場所の階高さや求める階段の勾配に合わせて高度な技術を持たなくても階段を設ける事ができるようになる。
【図面の簡単な説明】
【０００１０】
【図１】正面図、左側面図、右側面図、上面図  底面図及び裏面図、透視図等は必要としないので表示しません。
【図２】拡大表示した図面  部分上面図、部分正面図、右斜め側面部分図、部分側面図、
【符号の説明】
【０００１１】１，階段桁
２，踏み板
３、階段の勾配にあわせて調整出来る機能を持った踏み板を吊る吊り具
４，上床
５，下床
【図１】
2009281121.tif 000003
【図２】
2009281121.tif 000004
(57)【要約】      （修正有）【課題】風力発電に必要な風の方向や風速が一定しない場合も安定した電力を供給する。【解決手段】ファンのブレイド７にカバー４を懸け、さらにバネ３で連結した固定隔壁1及び移動隔壁２の圧力隔壁を設け、囲まれた空間の空気密度を高め、更に共振により一定に気圧を高めた空気中で前記ブレイド７を回転させて定電圧の風力発電を行う圧力隔壁付定電圧風力発電機。【選択図】図１
2009281370.tif 000002
【特許請求の範囲】
【請求項１】
当該圧力隔壁付定電圧風力発電機は、発電力を増大するのにファンのブレイドにカバーを懸けて内部の空気の気密を増大させて高い気密の空気中でファンのブレイドを回転させて発電力を増大させるのに、内部気流に対して垂直に固定した圧力隔壁にバネで連結した移動圧力隔壁を風の強弱に応じて自動的に前記バネの伸縮により、気流に平行に前後に移動することにより、前記ファンが前記カバーに覆われた内部の容積を自動的に増減させて、前記カバー内の容積の空気密度を一定に保ち、その中で前記ファンのブレードを回転運動させて風力発電による定電圧の電力を発電する風力発電機。
【請求項２】
当該圧力隔壁付定電圧風力発電機は、タワーの上部のヨーにナセルが下面で支えられて、風向きに対して自動的に自由に方向を回転して風に対して常に垂直な位置に前記ナセル内の発電機を保ち、それと水平方向に連結する同軸の胴体上に固定及び移動圧力隔壁をバネで接続して、風力の強弱に応じてバネの伸縮に伴う前記移動圧力隔壁が移動することによって自動的に前記カバー内の容積を増減させて気密を一定化した空気内でファンのブレイドを回転させて、常に、一定電圧の電力を発電する定電圧風力発電機。
【請求項３】
前記圧力隔壁付定電圧風力発電機は、前記カバーで覆った空間に前記ファンを設置して、気流に対して垂直な前記移動圧力隔壁を風力の強弱に応じて前後に移動させることによって前記空間の容積内の気密を一定に保つと同時に、前記カバーの切れ上がった末端と前記固定圧力隔壁との間の空間をすり抜ける気流がそれを取囲む前記カバーの内壁と前記固定圧力隔壁を共振して気密を更に増大して前記ファンのブレイドの回転による風力発電の出力を増大する構造の定電圧風力発電機。
【発明の詳細な説明】
〔項目名〕  従来の技術
【０００１】従来の風力発電機でファン単独又は、円筒形の筒中にファンを設置したして前記ファンのブレイドを向い風の風力で回転させて発電機で発電するが、風力発電に必要な風の方向や風速が一定せずそれを補う為、風車の羽や装置が大型化してコストが嵩み、実際の発電作業を通して自然条件が理想的に得られない。又、従来の風力発電による電圧は向い風の強弱に伴いまちまちの為、ユーザーの電力会社が火力発電で発電した電力を一定電圧に達する迄補充する必要がある為、手間とコストが嵩むので風力発電の普及に支障を来たしています。
〔項目名〕  当該技術
【０００２】当該技術は、風力発電機の後尾に同軸上に固定と移動の圧力隔壁をバネで連結して向い風に垂直に設定して風の強弱に応じてバネの伸縮による移動圧力隔壁を前後に移動することによってファンに被せたカバー内の空気密度を一定に保ち、前記ファンのブレードを回転させて発電力を高め、更に、前記カバーの切り上がった後端の出口と前記固定圧力壁の間の空間から気流が擦り抜ける際に発生する共振によって前記カバー内の気圧を高めた空気中で前記ファンのブレイドを回転させて大きな出力の定電圧風力発電をする圧力隔壁付定電圧風力発電機。
【図面の簡単な説明】
【０００３】
【図１】当該圧力隔壁付定電圧風力発電機の断面図の一例
【符号の説明】
【０００４】１．固定圧力隔壁        ２．移動圧力隔壁        ３．気密調整バネ
４．カバー              ５．前方カバー          ６．ハブ
７．ルーフファンの羽    ８．発電機              ９．ナセル
１０．タワー            １１．電線              １２．軸        １３．ヨー
【発明の詳細な説明】
【０００６】  当該隔壁付定電圧風力発電機は、ファンのブレード（７）の向い風による回転運動をバネ（３）で連結した固定圧力隔壁（１）と移動圧力隔壁（２）とカバー（４）でハブ（６）で連結した軸（１２）にナセル（９）に内蔵される発電機（８）と連動して更に共振によって一層気密を高めた空気中で回転させることによって定電圧の高い出力の風力発電を行う風力発電機で、前方に拡大する前方カバー（５）でより広い範囲の自然の風を捕らえて効率の良い発電を行うと共に、全発電装置の下面を前記発電機（８）から電線（１１）を内部に通したタワー（１０）上部にヨー（１３）で支えて風の方向に常に垂直になるように自由に回転して発電作業を行う隔壁付定電圧風力発電機。
【図１】
2009281370.tif 000003
(57)【要約】【課題】  従来の風力発電装置は、回転翼を回転軸付近のみ、つまり回転翼の付け根や軸受けのみで回転翼にかかる風圧を受けていたため回転翼が折損したりした。  また、重量のある発電機は、回転軸付近の高所に設置していた。【解決手段】回転翼にかかる風圧を回転軸及び円形固定枠に分散させ、円形回転部分の動力をギャ等で発電機に伝達することが可能で発電機を高所ではなく装置下部に設置することもできることから、より損壊しにくく大型化が可能である。本発明の風車を海上に設置する際、浮体側の係留装置を軸型にして垂直翼つけることにより、常に風を正面から受けることができる。【選択図】図１
2009281368.tif 000002
【特許請求の範囲】
【請求項１】
円形回転部に風車の各回転翼先端を固定し、円形回転部分を円形固定枠に組み込み各回転翼にかかる風圧を回転軸及び円形固定枠に分散させるようにした風力発電装置であり、風力発電装置のほか各種タービンにも応用できる。
【請求項２】
発電機を装置下部に設置し、円形回転部分の動力をギャ等で発電機に伝達することができる風力発電装置であり、風力発電装置のほか各種タービンにも応用できる。
【請求項３】
海上に風力発電装置を設置する際、浮体部分の係留装置を軸型にし、回転翼が風を正面から受けることができるよう浮体に垂直翼を取り付けた海上等設置型風力発電装置。
【発明の詳細な説明】
【技術分野】
【０００１】  本発明は、風圧を回転軸及び円形固定枠に分散させる風力発電装置。
発電機を風力発電装置の下部に設置可能である風力発電装置。
本発明の風力発電装置を海上等に設置する際、風力発電本体を設置する浮体が回転し風車が風を正面から受けることができるようにした浮体。
【背景技術】
【０００２】  従来の風力発電装置は、回転翼を回転軸付近のみ、つまり回転翼の付け根のみで回転翼にかかる風圧を受けていた。
また、発電機は、回転軸付近の高所に設置していた。
【発明の開示】
【発明が解決しようとする課題】
【０００３】  以上に述べた従来の風力発電装置では、回転翼を回転軸付近のみ、つまり回転翼の付け根のみで回転翼にかかる風圧を受けていたため台風等の強風下では回転翼が折れたり支柱が折れたりした。
また、重量のある発電機を支柱の上である高所に設置していた。【０００４】  本発明は、このような従来の構造が有していた問題を解決しようとするものであり、台風などの強風下でも回転翼が折れず、支柱も倒壊せず、発電機も下部に設置可能であり、より大型化できる風力発電装置を実現することを目的とするものである。
また、同上の風力発電装置を海上等に設置するさい風車が風を正面から受けることができる浮体の実現を目的とするものである。
【課題を解決するための手段】
【０００５】  本発明は、上記目的を達成するため回転翼にかかる風圧を回転軸及び円形固定枠に分散させ、円形回転部分の動力をギャ等で発電機に伝達することが可能で発電機を高所ではなく装置下部に設置することもでき、本発明角の風車を海上に設置する際、風を正面から受けることができるようするため浮体側の係留装置を軸型にして垂直翼つける。
【図面の簡単な説明】
【０００６】
【図１】  本発明の風力発電装置の正面図
【図２】  同側面図
【図３】  本発明の風力発電装置を海上等に設置する際の風力発電装置及び浮体の側面図（発電機を装置下部に設置した例図）
【図４】
2009281368.tif 000003
【符号の説明】
【０００７】１  円形固定枠
２  回転翼
３  発電機及び軸受け
４  円形固定枠
５  発電機及び軸受け
６  ケーブル
７  円形固定枠
８  垂直翼
９  発電機（装置下部に設置した場合）
１０  海面（水面）
１１  浮体
１２  回転軸
１３  係留装置
１４  風
１５  円形固定枠
１６  円形回転部
１７  回転翼
【図１】
2009281368.tif 000004
【図２】
2009281368.tif 000005
【図３】
2009281368.tif 000006
【図４】
2009281368.tif 000007
(57)【要約】【課題】圧縮機構を組み立てる際にボルト締結によって必要以上の締結力が作用し、締結歪によって性能低下や異常音の発生等の要因となる。本発明はこのような従来の課題を解決するものであり、締結歪の少ない高効率な密閉型圧縮機を提供するとともに部品点数が少ない安価な密閉型圧縮機提供することを目的とする。【解決手段】締結方法をボルト締結でなくレーザ溶接による締結とすることによって締結歪が緩和され、また部品点数を減らすことができる。以上のことより、締結歪の少ない高効率な密閉型圧縮機を提供するとともに部品点数が少ない安価な圧縮機提供することができる。【選択図】図１
2009281221.tif 000002
【特許請求の範囲】
【請求項１】
密閉容器内に電動機と、この電動機によって駆動されるクランク軸と、クランク軸にて駆動されるローラと、このローラを収納するシリンダと、このシリンダとローラに当接しシリンダ内を仕切る仕切り板と、前記シリンダと締結されるとともに前記クランク軸を保持する軸受けを兼ねる主端板と補助端板とを有し、前記シリンダと主端板との締結手法として溶接により固定することとした密閉型圧縮機。
【請求項２】
シリンダと主端板とがレーザ溶接により締結されている請求項１記載の密閉型圧縮機。
【請求項３】
シリンダと主端板とがＹＡＧレーザ溶接により締結されている請求項１記載の密閉型圧縮機。
【請求項４】
シリンダと主端板とがＣＯ２レーザ溶接により締結されている請求項１記載の密閉型圧縮機。
【請求項５】
塩素を含まないＨＣＦＣやＨＦＣ等を冷媒とした請求項１から４いずれか１項に記載の密閉型圧縮機。
【請求項６】
二酸化炭素やアンモニア、ヘリウム等の自然冷媒を冷媒とした請求項１から４いずれか1項に記載の密閉型圧縮機。
【請求項７】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１から４いずれか1項に記載の密閉型圧縮機。
【請求項８】
上記オイルに、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤など、その他の公知の添加剤を有効量配合した請求項１から４いずれか1項に記載の密閉型圧縮機。
【発明の詳細な説明】
【技術分野】
【０００１】
本発明は、空気調和装置あるいは冷蔵庫などに用いられる密閉型圧縮機に関するものである。
【背景技術】
【０００２】
従来のロータリー型の圧縮機では、主端板とシリンダはボルトを用いて締結されている。
【０００３】
図２に従来のロータリー型圧縮機の縦断面図を示す。図２に示すように、密閉容器の内部に圧縮機構を駆動する電動機が固定され、この電動機に圧縮機構を駆動するクランク軸が結合されている。圧縮機構は、クランク軸によって駆動されるローラと、ローラを収納する円筒状気筒であるシリンダと、ローラに当接してシリンダ内を仕切る仕切り板、およびシリンダの両端面を保持する端板により構成されている。端板は主端板及び補助端板からなり、クランク軸を保持し、かつ軸受けとしての機能も兼ね、圧縮機構をはさみ込むように配設され、主端板の外周で密閉容器に溶接固定されている。シリンダには吸入孔が具備され、吸入孔に圧入された吸入接続管より圧縮するガスをシリンダ内に導く。また、主端板と補助端板はシリンダに設けられたネジ部にボルトを用いて締結されている。
【特許文献１】特開２００２−９８０７５号公報
【特許文献２】特開２００５−５４７１２号公報
【発明の開示】
【発明が解決しようとする課題】
【０００４】
しかしながら、前記従来の構成ではシリンダと主端版をボルトによって締結するためシリンダ及び主端版に締結力が加わり、歪が発生してしまうという課題を有していた。
【０００５】
本発明はこのような従来の課題を解決するものであり、締結歪の少ない高効率な密閉型圧縮機を提供するとともに部品点数が少ない安価な密閉型圧縮機提供することを目的とする。
【課題を解決するための手段】
【０００６】
上記課題を解決するために本発明は、主端板とシリンダとの締結方法を溶接によって締結する構成とした。
【発明の効果】
【０００７】
本発明は、主端板とシリンダとの締結方法を溶接によって締結する構成とするもので、この構成によれば、締結歪の少ない高効率な密閉型圧縮機を提供するとともに部品点数および組立て工数が少ない安価な圧縮機提供することができる。
【発明を実施するための最良の形態】
【０００８】
以下、本発明の実施の形態について図面を参照して説明する。なお、以下に記載する実施の形態により本発明が限定されるものではない。
【０００９】
（実施の形態１）
図１に示すように、ロータリー型の密閉型圧縮機では、密閉容器の内部に圧縮機構を駆動する電動機の固定子が固定され、この電動機の回転子に圧縮機構を駆動するクランク軸が結合されている。
【００１０】
圧縮機構は、クランク軸によって駆動されるローラと、円筒状気筒であるシリンダとローラに当接してシリンダ内を仕切る仕切り板およびシリンダの両端面を保持する端板にて構成されている。ここで端板はクランク軸６を保持する軸受けも兼ねる主端板と補助端板とにより上下から挟み込むように配設され、主端板の外周で密閉容器に溶接固定されている。シリンダには吸入孔が具備され、吸入孔に圧入された吸入接続管より圧縮するガスをシリンダ内に導く。また、主端板はシリンダにボルト溶接によって固定されている。
【００１１】
シリンダと主端板とを溶接によって固定することによりボルトによる締結に比べ締結歪が緩和される。また、部品点数を減らすことができる。
【産業上の利用可能性】
【００１２】
以上のように、本発明にかかる密閉型圧縮機は、締結歪の少ない高効率な密閉型圧縮機を提供するとともに部品点数が少ない安価な圧縮機提供することが可能となるので、空気調和装置や冷蔵庫等の冷凍機器に適用できる。
【図面の簡単な説明】
【００１３】
【図１】本発明の実施例を示す圧縮機の縦断面図
【図２】従来の圧縮機の縦断面図
【符号の説明】
【００１４】
１  密閉容器
２  電動機
３  シリンダ
４  主端板
５  補助端板
６  ボルト
７  溶接部
【図１】
2009281221.tif 000003
【図２】
2009281221.tif 000004